(57)【要約】      （修正有）【課題】ネジにより、迅速な組み立て、取り外しが可能なLEDライト用散熱器のモジュール構造。【解決手段】頂点蓋11と底殼12を備える外殼10、及び散熱部品23、LEDライトユニット、ランプシェード25により構成し、アルミニウム基板21、散熱部品23を備える独立式の単一照明灯モジュール20からなり、底殼12内部には収容設置空間を備える収容設置槽を形成し、その下端面には数個の穿孔121と装置孔122を開設し、該装置孔122の四周には数個のネジ孔211を開設し、アルミニウム基板21上には数個のネジ孔211を開設し、底殼12のネジ孔123と相互に対応し、下端面には一層の回路板22を設置する。散熱部品23はアルミニウム基板21の上端面に設置して固定し、LEDライトユニットはアルミニウム基板21下端面の回路板22上に設置し、回路板22上にはネジによりランプシェード25を螺合して嵌める。【選択図】図５
2010218852.tif 000002
【特許請求の範囲】
【請求項１】
頂点蓋と底殼を備える外殼、及び散熱部品、LEDライトユニット、ランプシェードにより構成し、アルミニウム基板、散熱部品を備える独立式の単一照明灯モジュールからなり、
前記頂点蓋上に、空気を進入させる数個の散熱孔を設け、
前記底殼を環状の箱体に形成し、該箱体の四側面に空気を進入させる数個の散熱孔を設け、内部に収容設置空間を備える収容設置槽を形成し、
前記底殼の下端面に、数個の穿孔と装置孔を開設し、該装置孔の四周に数個のネジ孔を設け、前記照明灯モジュールが前記装置孔をとおして固定され、
前記アルミニウム基板表面上に、前記底殼上のネジ孔に相互に対応させて数個のネジ孔を設け、前記散熱部品を該アルミニウム基板の上端面に粘着させて固定し、該アルミニウム基板下端面に、一層の回路板を設置し、前記LEDライトユニットを前記回路板下端に設置し、ランプシェードをネジにより螺合して該回路板及びLEDライトユニットを覆い、
前記アルミニウム基板の面積を、前記装置孔の面積より大きくして該アルミニウム基板を前記底殼の下端面に緊密に接着させ、前記散熱部品を前記装置孔をとおして前記底殼内の収容設置槽内に位置させたことを特徴とするLEDライト用散熱器のモジュール構造。
【請求項２】
前記LEDライトと散熱器のモジュール構造は、外殼を使用せず、固定台を代わりに使用し、該固定台上に装置孔を設け、穿孔は有っても無くても良いことを特徴とする、請求項１記載のLEDライト用散熱器のモジュール構造。
【請求項３】
。
前記複数の照明灯モジュールは、２個以上の単一の照明灯モジュールを組み合わせて構成し、前記アルミニウム基板の上端面には、２個以上の散熱部品を設置可能で、下端面には２個以上の回路板及びLEDライトユニットを設置可能で、ランプシェードにより、それらを覆ったことを特徴とする請求項１記載のLEDライト用散熱器のモジュール構造。
【発明の詳細な説明】
【技術分野】
【０００１】
本発明は、LEDライト用散熱器のモジュール構造に係り、特にアルミニウム基板、散熱部品、LEDライトユニット、ランプシェードを備えた照明灯モジュールであって、ネジにより迅速な組み立て、取り外しを可能としたLEDライト用散熱器のモジュール構造に関するものである。
【背景技術】
【０００２】
図１、２に示す米国特許第7338186号に記載の従来の散熱器構造は、四側面にそれぞれ数個の散熱孔41を設置した外殼40、散熱部品50、アルミニウム基板60、LEDライトユニット71、回路板72を備えるライトユニット70、ランプシェード80を備えて構成されている。前記散熱部品50は、前記アルミニウム基板60の上端面に設置し、前記外殼40と該アルミニウム基板60を固定している。これにより、前記散熱部品50は、前記外殼40内に覆われ、前記ライトユニット70はアルミニウム基板60の下端面に設置し、さらにランプシェード80を固定している。
【０００３】
しかしながら、上記従来の構造には、以下のような欠点が存在する。
【０００４】
1.  従来の散熱器構造において、アルミニウム基板60には穿孔が設置されていないため、散熱部品50とLEDライトユニット71が発する熱が、対流により迅速に発散されることはなく、しかも外殼40内に異物或いは水が入った時にも、適時に排出されない。
【０００５】
2.  従来の散熱器構造において、アルミニウム基板60には穿孔が設置されていないため、異物が外殼40内に大量に進入し、排出不能となる状況を回避しようと、外殼40の散熱孔41は側面のみに設置されている。
【０００６】
3.  従来の散熱器構造において、散熱部品50の交換、メンテナンス時には、アルミニウム基板60と外殼40を取り外して分離しなければ、交換、メンテナンスを行なうことはできない。しかも、散熱部品50とLEDライトユニット71は、別々に組み立て、取り外す設計であるため、その構造は複雑で、しかも組み立ては不便である。
【０００７】
本発明は、従来のLEDライト用散熱器のモジュール構造の上記した欠点に鑑みてなされたものである。
【先行技術文献】
【特許文献】
【０００８】
【特許文献１】米国特許第7338186号
【発明の概要】
【発明が解決しようとする課題】
【０００９】
本発明が解決しようとする課題は、ネジにより迅速な組み立て、取り外しが可能なLEDライト用散熱器のモジュール構造を提供することである。
【課題を解決するための手段】
【００１０】
上記課題を解決するため、本発明によるLEDライト用散熱器のモジュール構造は、頂点蓋と底殼とを有する外殼、及びアルミニウム基板、散熱部品、LEDライトユニット、ランプシェードを備える照明灯モジュールからなり、
前記底殼は内部に収容設置空間を備える収容設置槽を形成し、その下端面には数個の穿孔と装置孔を開設し、装置孔の四周には数個のネジ孔を開設し、
前記アルミニウム基板上には数個のネジ孔を開設し、該底殼のネジ孔と相互に対応し、該下端面には一層の回路板を設置し、該散熱部品はアルミニウム基板の上端面に設置して固定し、該LEDライトユニットはアルミニウム基板下端面の回路板上に設置し、回路板上にはネジによりランプシェードを螺合して嵌める。
【発明の効果】
【００１１】
本発明のLEDライト用散熱器のモジュール構造は、ネジにより迅速な組み立て、及び取り外しが可能である。
【図面の簡単な説明】
【００１２】
【図１】従来の構造を示す構造分解図である。
【図２】従来の構造を示す側面断面図である。
【図３】本発明の実施の形態に係る照明灯モジュール構造の分解図である。
【図４】本発明の実施の形態に係る照明灯モジュールの立体図である。
【図５】本発明の実施の形態に係る構造分解図である。
【図６】本発明の実施の形態に係る構造立体図である。
【図７】本発明の実施の形態に係る側面断面図である。
【図８】本発明の他の実施形態に係る分解図である。
【図９】本発明の他の実施形態において固定台に穿孔を増設する模式図である。
【図１０】本発明の他の実施形態の複数の照明灯モジュールの分解図である。
【図１１】本発明の他の実施形態の模式図である。
【発明を実施するための形態】
【００１３】
以下に、面を参照しながら本発明を実施するための最良の形態について詳細に説明する。
【実施例】
【００１４】
図３ないし図９に示すように、本実施の形態のLEDライト用散熱器のモジュール構造は、頂点蓋11と底殼12を備える外殼10、アルミニウム基板21、散熱部品23、LEDライトユニット24、ランプシェード25を備える照明灯モジュール20からなる。
【００１５】
前記頂点蓋11上には、空気を進入させる数個の散熱孔111を設置する。
【００１６】
前記底殼12は環状の箱体設計で、その四側面にも、空気を進入させる数個の散熱孔124を設置し、内部には、収容設置空間を備える収容設置槽125を形成する。
【００１７】
前記底殼12の下端面には、面積が比較的小さい数個の穿孔121と面積が比較的大きい数個の装置孔122を開設する。該装置孔122の四周には、数個のネジ孔123を開設する。
【００１８】
図３及び４に示すように、前記アルミニウム基板21の面積は、該底殼12の下端面に設置する装置孔122より大きく、該アルミニウム基板2の上には、数個のネジ孔211を開設し、該底殼12のネジ孔123と相互に対応する。
【００１９】
前記アルミニウム基板21は、下端面に一層の回路板22を設置し、該散熱部品23は、該アルミニウム基板21の上端面に設置して固定する。
【００２０】
前記LEDライトユニット24は、アルミニウム基板21下端面の回路板22上に設置し、該回路板22上において、ネジによりランプシェード25を螺合して嵌める。
【００２１】
これにより、前記LEDライトユニット24は、該ランプシェード25内に包まれ、図５に示すように、散熱部品23は、該照明ジュール20の上方の位置を保持し、該LEDライトユニット24と該ランプシェード25は下方の位置を保持する。
【００２２】
さらに、前記ネジ孔123と該ネジ孔211を相対させ、ネジにより螺合し、該照明灯モジュール20は、該底殼12と相互に接合する。
【００２３】
図６及び７に示すように、前記アルミニウム基板21の面積は、装置孔122より大きいため、該アルミニウム基板21は該装置孔122を通過せず、該底殼12の下端面に密着する。しかも、前記散熱部品23は、該装置孔122を通過し、該底殼12内の収容設置槽125に位置する。
【００２４】
次に、図８に示すように、本発明の他の実施形態では、前記実施形態で用いた外殼10を使用せず、代わりに固定台30を使用する。該固定台30上には、装置孔31を設置し、該装置孔31中には、照明灯モジュール20を設置する。
【００２５】
この実施の形態では、前記外殼10を使用しないため、全体的な散熱、排水効果がさらに向上し、該LEDライトユニット24の使用寿命を大幅に延長することができる。
【００２６】
さらに、図９に示すように、前記固定台30は、装置孔31の四周において、穿孔32を増設し、排水効率を一層向上させることができる。
【００２７】
続いて、図１０及び１１に示すように、前記複数の照明灯モジュール81は、２個以上の単一の照明灯モジュール20を組み合わせて構成する（図８参照）。
【００２８】
よって、前記アルミニウム基板21の上端面には、２個以上の散熱部品23を設置可能で、下端面には、２個以上の回路板22及びLEDライトユニット24を設置可能で、さらに、該ランプシェード25により、それらを覆う。
【００２９】
上記構造により、本発明の実施形態によれば以下の長所がある。
【００３０】
1.  底板には、数個の穿孔32を設置するため、上、下層の対流が起こり、照明灯モジュール20の散熱を加速し、LEDライトユニット24の寿命を延長することができる。しかも、外殼10内に異物或いは水が進入した時にも、穿孔32を通して自然に排出される。
【００３１】
2.  底板には、数個の穿孔32を設置するため、頂点蓋11の散熱孔111を上方へと口を開く設計とすることができ、これにより上、下層対流が起き、散熱加速の効果はさらに明確となる。
【００３２】
3.  照明灯モジュール20は独立式の単一照明灯モジュール20であるが、該単一の照明灯モジュール20はアルミニウム基板21、散熱部品23、LEDライトユニット24、ランプシェード25により構成され、該単一の照明灯モジュール20全体を、外殼10の装置孔122内に簡単に組み立て、或いは簡単に取り外すことができる。よって、メンテナンス時には、単一の照明灯モジュール20を交換するだけで良いため、従来の構造のように、大型のライトユニット全体を取り外し、メンテナンス後に再度設置するというメンテナンス上の面倒を軽減することができる。
【００３３】
上記の実施形態で説明した内容は、本発明の技術内容の説明に用いたのみで、本発明を限定するものではない。本発明の精神に基づく等価応用或いはいは部品（構造）の転換、置換、数量の増減はすべて、本発明の保護範囲に含むものとする。
【産業上の利用可能性】
【００３４】
本発明によるLEDライト用散熱器のモジュール構造は、ネジにより迅速な組み立て、及び取り外しが可能である。
【符号の説明】
【００３５】
10  外殼 
11  頂点蓋
111  散熱孔
12  底殼
121  穿孔
122  装置孔
123  ネジ孔
124  散熱孔
125  収容設置槽
20  照明灯モジュール
21  アルミニウム基板
211  ネジ孔
22  回路板
23  散熱部品
24  LEDライトユニット
25  ランプシェード
30  固定台
31  装置孔
32  穿孔
40  外殼
41  散熱孔
50  散熱部品
60  アルミニウム基板
70  ライトユニット
71  LEDライトユニット
72  回路板
80  ランプシェード
81  複数の照明灯モジュール
【図１】
2010218852.tif 000003
【図２】
2010218852.tif 000004
【図３】
2010218852.tif 000005
【図４】
2010218852.tif 000006
【図５】
2010218852.tif 000007
【図６】
2010218852.tif 000008
【図７】
2010218852.tif 000009
【図８】
2010218852.tif 000010
【図９】
2010218852.tif 000011
【図１０】
2010218852.tif 000012
【図１１】
2010218852.tif 000013